(57)【要約】  【課題】封止した状態では四面体状の袋状の包装体となり、開封後は舟形状態となって皿や容器として使用することが可能で、かつ舟形が倒れたりすることを防止できる安定した包装袋を提供すること。【解決手段】  開口されている開口辺１１、前記開口辺１１の両側に隣接する封止された封止側辺部１２、１３と、前記開口辺１１に対向する封止された底辺１４と、前記底辺の両端又は両端近傍に設けられた前記底辺１４との角度が３５°以上１４５°以下である突出片１５と、を備えたことによって、開口辺１１が内部に収容対象物を収容した状態で底辺に対して直交するように封止されて開口溶着辺１１ａを形成することによって四面体をなし、前記開口溶着片１１ａを垂直に引き裂き開封されて舟形形状をなすようにした。その際に突出片１５が舷側を支持できるようにした。【選択図】図１
2011126561.tif 000002
【特許請求の範囲】
【請求項１】
シート部材によって全体が略矩形の袋状に形成された包装袋であって、
開口されている開口辺部と、
前記開口辺部の両側の封止された封止側辺部と、
前記開口辺部に対してシートの反対側の封止された底辺部と、
前記底辺部の両端又は両端近傍に突出形成された２つの支持片と、を備え、
前記支持片は、前記底辺部と前記底辺部に隣接する支持片の辺との角度が３５°以上１４５°以下に設けられ、前記開口辺部より内部に収容対象物を収容した状態で、前記開口辺部の端部と端部が重なるように封止して開口封止部を形成することによって四面体をなし、前記開口封止部の少なくとも一部を垂直に引き裂いて開封し、展延することにより舟形形状をなすことを特徴とする包装袋。
【請求項２】
前記底辺部は、シート部材と比較して高い剛性を有することを特徴とする請求項１に記載の包装袋。
【請求項３】
前記封止側辺部は、前記封止側辺部に沿って引き裂き容易となるように薄肉処理又は溶着処理されていることを特徴とする請求項１又は２に記載の包装袋。
【請求項４】
前記開口辺部には、開封用の切れ込みが形成されていることを特徴とする請求項１から３のいずれか１項に記載の包装袋。
【請求項５】
前記開封用の切れ込みは、前記封止側辺部上に設けられていることを特徴とする請求項１から４のいずれか１項に記載の包装袋。
【発明の詳細な説明】
【技術分野】
【０００１】
本発明は、包装袋に関する。
【背景技術】
【０００２】
従来、菓子類や野菜等の食物を収容するための包装袋としては、四角形のシートを２枚重ねるか、若しくは２つ折りにした矩形形状に作成され、四方を封止したものがある。係る包装袋は一般的に四辺の一辺を開封することによって内容物の取り出しを行うものである。しかし、従来の包装袋は、内容を収容することに重点が置かれているため、開封した状態で内容対象物の取り出し易さを考慮したものではなかった。
【０００３】
これに対し、矩形の包装袋の両側端部を直交するように封止した四面体形状のもの（いわゆる三角パック）が知られている。このような四面体形状の包装袋（いわゆる三角パック）を用い、開封を容易にしたものとして、封止した状態で四面体袋状の包装体となり、その包装体に設けられた開封ガイドに沿って包装体を開封した際に舟形形状となる包装材が提案されている（特許文献１）。係る包装材は、物品の包装機能のみならず、内容物を充填した包装体を開封した際には、包装材が舟形に展延し、展延して生じた舟形は、内容物の容器として機能する点において有用な発明である。
【先行技術文献】
【特許文献】
【０００４】
【特許文献１】特開２００７−２８４０７７号公報
【発明の概要】
【発明が解決しようとする課題】
【０００５】
しかしながら、係る包装体は、一般に柔軟性が高いプラスチックフィルムやシートをベースとして作製されることが多いため、舟形形状にした場合形状が不安定であるとともに、載置状態も不安定であった。そのため、舷側方向に倒れて内容物を散乱させてしまうことがあったという課題がある。
【０００６】
そこで、本発明は、上述した従来技術における課題を鑑みてなされたものであり、封止した状態で四面体袋状の包装袋となり、開封後は舟形形態となって皿や容器として使用することができる包装袋であって、舟形形態を保持しやすく、かつ舷側方向に倒れたりすることを極力防止できる包装袋を提供することを主目的とする。
【課題を解決するための手段】
【０００７】
本発明は、上述の目的を達成するために以下の手段を採った。
【０００８】
本発明に係る包装袋は、
シート部材によって全体が略矩形の袋状に形成された包装袋であって、
開口されている開口辺部と、
前記開口辺部の両側の封止された封止側辺部と、
前記開口辺部に対してシートの反対側の封止された底辺部と、
前記底辺部の両端又は両端近傍に突出形成された２つの支持片と、を備え、
前記支持片は、前記底辺部と前記底辺部に隣接する支持片の辺との角度が３５°以上１４５°以下に設けられ、前記開口辺部より内部に収容対象物を収容した状態で、前記開口辺部の端部と端部が重なるように封止して開口封止部を形成することによって四面体をなし、前記開口封止部の少なくとも一部を垂直に引き裂いて開封し、展延することにより舟形形状をなすことを特徴とする。
【０００９】
本発明は、収容対象物を内部に収容した状態で前記開口辺部の端部と端部が重なるように封止して、開口辺部と底辺部がねじれの位置となるように封止した開口封止部を形成することによって、四面体構造の収容容器とすることができる。また、開口封止部を底辺方向へ引き裂くことで、内容対象物を取り出すことができるようになるとともに、包装袋自体が舟形形状となって皿又は容器として使用することができる。さらに、舟形形状にした状態では、不安定で舷側方向に倒れやすいのであるが、支持片が舷側に突出配置されるので、この支持片が舟形形状の包装袋を支持して倒れづらくなる。また、舷側の立ち上がり角度は、支持片と底辺部との角度によって、支持される舷側の立ち角度とが一致することになる（図５、図７参照）ので、支持片と底辺部との角度を調整することによって、舷側の立ち上がる角度を調整することができる。従って、舟形にした場合により皿のように平坦な載置領域とすることもできるし、容器のように舷側の立ちあがった状態にすることもできる。本発明において前記角度を３５°以上としたのは、３５°以下とすると舷側が内側に入り過ぎて皿としての機能を有しづらくなるからであり、１４５°以下としたのは、１４５°以上とすると、支持片が載置される台と包装袋との間で支持する機能を発揮しづらくなるからである。より好ましくは、４５°以上、１３５°以下である。
【００１０】
さらに、本発明の包装袋において、底辺部は、シート部材と比較して高い剛性を有しているとよい。プラスチック等のシートを包装袋に使用する場合、包装袋を開封して舟形形状にすると、船底はＵ字又はＶ字状になりやすく、平面を形成しづらい特性がある。そこで、底面部の剛性を高くすることで、舟形形状にする場合においても底面部の直線状態を維持し易くなって、舟形形状の船底の平面を確保し易くすることができる。
【００１１】
さらに、本発明の包装袋において、前記封止側辺部は、前記封止側辺部に沿って引き裂き容易となるように薄肉処理又は溶着処理されていてもよい。封止側辺部を引き裂き容易に形成しておくことで、四面体の包装袋を開封する際に、封止側辺部が側面の中位に位置するので、これに沿って開けば常に同じ開封形状を確保することができ、両方の舷側が対称な美観性に優れた舟形形状を安定して作製することができる。
【００１２】
さらに、開口辺部には、開封用の切れ込みが形成されていてもよい。係る構成を採用することによって、包装袋の開封作業が容易になる。
【００１３】
さらに、本発明の包装袋において、前記開封用の切れ込みは、前記封止側辺部上に設けてもよい。切れ込み位置を封止側辺部上に設けることによって、開口辺部を引き裂けば、封止側辺部で引き裂かれやすくなり、両方の舷側が対称な美観性に優れた舟形形状を作製することができる。
【発明の効果】
【００１４】
本発明に係る包装袋によれば、収容対象物を収容した状態で開口辺部を封止することで、四面体の包装袋とすることができる。そして、開封した場合には、包装袋が舟形形状をなして、そのまま収容対象物を載置する皿又は容器として使用することができる。また、包装袋の底辺部に支持片が設けられているので、舟形形状にした場合に舷側に支持片が配置される。よって、舟形形状の包装袋が倒れる際の支持部材として機能し、倒れづらいものとなる。
【図面の簡単な説明】
【００１５】
【図１】図１は、本発明の実施形態に係る包装袋１００の構成を説明する説明図である。
【図２】図２は、本発明の実施形態に係る包装袋１００の開口辺１１を封止する状態を示す斜視図である。
【図３】図３は、本発明の実施形態に係る包装袋１００を封止した状態を示す斜視図である。
【図４】図４は、本発明の実施形態に係る包装袋１００を開封する工程の１部を示す斜視図である。
【図５】図５は、本発明の実施形態に係る包装袋１００を開封した状態を示す斜視図及び該斜視図におけるＦ−Ｆ断面図である。
【図６】図６は、本発明の実施形態に係る包装袋１００において、突出片１５の変形例を示す斜視図である。
【図７】図７は、本発明の実施形態に係る包装袋１００において、突出片１５の変形例を示す説明図である。
【図８】図８は、本発明の実施形態に係る包装袋１００において、さらなる突出片１５の変形例を示す説明図である。
【図９】図９は、本発明の実施形態に係る包装袋１００において、さらなる突出片１５の変形例を示す説明図である。
【発明を実施するための形態】
【００１６】
以下、本発明を実施するための形態について、図面に沿って詳細に説明する。なお、以下に説明する実施形態及び図面は、本発明の実施形態の一部を例示するものであり、これらの構成に限定する目的に使用されるものではない。なお、各図において対応する構成要素には同一又は類似の符号が付されている。
【００１７】
ここで、本発明を実施するための形態を説明するにあたり、本実施の形態の構成要素と本発明の構成要素との対応関係を明らかにする。本実施の形態における包装袋１００が包装袋に相当し、表シート１０ａ及び裏シート１０ｂがシート部材に相当し、開口辺１１が開口辺部に相当し、右封止側辺１２及び左封止側辺１３が封止側辺部に相当し、底辺１４が底辺部に相当し、突出片１５が支持片に相当し、開口溶着辺１１ａが開口封止部に相当する。
【００１８】
実施形態の包装袋１００は、図１に示すように表シート１０ａ及び裏シート１０ｂの２枚のシートを重ねてあり、開口辺１１以外の辺、つまり、開口辺１１の両側に配置される右封止側辺１２、左封止側辺１３及び底辺１４とでそれぞれ表シート１０ａ及び裏シート１０ｂが溶着されて封止され、開口辺１１が開口された袋状をなしている。表シート１０ａ及び裏シート１０ｂの材料としては、ポリエチレン、ポリプロピレン、ポリエチレン等のポリオレフィン類からなるシート、ポリエステル、ナイロンなどのポリアミド等の種々の樹脂性のシートが使用される。表シート１０ａと裏シート１０ｂは異なる材料で作成しても構わない。また、実施形態では２枚のシートを使用しているが、必ずしも２枚を重ね合わせる必要はなく、１枚のシートを折りたたんで右封止側辺１２、左封止側辺１３及び底辺１４のいずれか２辺を溶着しても構わない。
【００１９】
開口辺１１は、包装袋１００に収容対象物を収容した後に封止するものである。従って、収容対象物を収容する前の状態では、図２に示すように２枚の表シート１０ａ及び裏シート１０ｂの開口辺１１は封止されておらず、開口辺１１より収容対象物を収容することができる。
【００２０】
右封止側辺１２及び左封止側辺１３は、２枚の表シート１０ａ及び裏シート１０ｂがこの右封止側辺１２及び左封止側辺１３に沿って容易に引き裂ける程度に溶着されている。例えば、シート本体より裂けやすいように溶断、溶着等の熱溶着手段による接合部分を手段を用いてもよいし、折り目の部分を薄く形成して裂け易くしてもよい。
【００２１】
底辺１４は、熱溶着その他のシール手段によって比較的強く容易に引き裂くことができないように封止されている。底辺１４は、シートに対して高い剛性を有していて、他の部位と比較した場合に直線状態を保ち易いようにされている。また、底辺１４の両端からは、突出片１５が外方に突出形成されている。突出片１５は、下記に詳細するが、包装袋を開封して舟形形状にした際に支持部としての機能を有する部分である。突出片１５の内側辺ｆｇ、ｈｉと底辺１４との角度（α）は、それぞれ１３５°に形成されている。突出片１５の周囲の辺ｄｅ、ｅｆ、ｆｇ、ｈｉ、ｉｊ、ｊｋは、それぞれ封止されている。なお、辺ｄｇ、ｈｋは、封止してもしなくてもよい。また、突出片１５は、下方に０．５ｃｍ以上突出していることが好ましい。突出片が０．５ｃｍ以下であると、突出片による包装袋の支持機能が弱くなり、転倒しやすくなる。より好ましくは１．０ｃｍ以上あるとよい。
【００２２】
こうして構成された包装袋１００は、以下のようにして収容対象物を収容した包装袋として使用される。
【００２３】
まず、図２に示したように、開口辺１１を開口させ、開口２０から収容対象物（図示しない。）を収容する。そして、開口辺１１の中央ａ、ａ’が端部となるように広げて，開口辺１１の端部ｂ，ｃとが重なるように熱溶着して封止し、開口溶着辺１１ａとする。従って、図３に示すように、開口溶着辺１１ａのａ−ａ’と底辺１４のｄ−ｋがねじれの位置となるように封止されることになる。このように封止することで、略全体が四面体の包装袋１００となる。なお、開口辺１１の封止手段は特に限定するものではなく、超音波溶着その他のシール手段が用いられる。
【００２４】
こうして収容対象物を収容した包装袋１００は、以下のようにして開封される。右封止側辺１２及び左封止側辺１３の上端部ｂ、ｃには、切れ込みを入れておいてもよい。切れ込みを入れておけば、包装袋１００を開封する際にこの切れ込みから底辺１４方向に開封し易くなる。また、右封止側辺１２又は左封止側辺１３上に切れ込みを入れておけば、図４に示すように開口溶着辺１１ａのｂ（ｃ）の切り込みから右封止側辺１２及び左封止側辺１３に沿って垂直方向に容易に引き裂くことができる。そして、引き裂きながら展延していくと、図５に示すように、底辺１４が船底の一部となす舟形形状となる。このときに、底辺１４は、剛性が高く直線を維持し易くできているので、船底が平面を形成し易くなる。こうして収容対象物が露出するとともに、包装袋１００は舟形形状をなし、包装袋１００自体が皿又は容器として使用される。
【００２５】
舟形形状の包装袋１００は、先頭、船尾方向に対しては安定しているが、舷側方向に対しては非常に倒れやすいものである。しかし、本実施形態における包装袋１００においては、図５のＡ−Ａ断面図に示すように、突出片１５の内側辺ｆｇ、ｈｉによって、舷側を支持するので、舟形の包装袋１００が転倒するのを極力防止することができる。このときの右舷側ｄｇと底辺ｇｈとの角度又は左舷側ｋｈと底辺ｈｇとの角度（β）は、突出片１５の内側辺ｆｇ、ｈｉと底辺１４との角度（α）と等しくなる（図１参照）。よって、突出片１５の内側辺ｆｇ、ｈｉと底辺１４との角度（α）を調整することによって、舷側の角度を調整することができる。また、シートの剛性が弱く非常に柔らかい素材を使用した場合には、舟形形状全体が倒れなくても舷側のシートのみが自重に耐えられずに倒れてしまうことがあるが、突出片１５によって支えられているので舷側のシートがしっかりと立った状態を保つことができる。
【００２６】
なお、本発明は上述した実施形態に何ら限定されるものではなく、本発明の技術的範囲に属する限りにおいて種々の態様で実施し得るものである。
【００２７】
例えば、上述した実施形態では、突出片１５の周囲の辺ｄｅ、ｅｆ、ｆｇ、ｈｉ、ｉｊ、ｊｋすべてを封止して形成しているため、舟形に開封した場合であっても１枚の突出片１５をなしているが、図６に示すように、突出片１５の周囲ｄｅ、ｅｆ、ｆｇ、ｈｉ、ｉｊ、ｊｋを接着することなく、かつ辺ｄｇ、ｈｋを封止して形成することによって、突出片１５は、２枚に分かれて舷側のシートを支持することができるようになる。このように形成すれば、２枚の突出片１５によって舷側を支持できるので、安定して舷側のシートを立った状態に保つことができる。
【００２８】
また、上述した実施形態では、突出片１５の内側辺ｆｇ、ｈｉと底辺１４との角度（α）を１３５°に設定しているが、この角度は、４５°以上１３５°以下であれば、いかなる角度を採用してもよい。図７には、図７ａ、図７ｂ、図７ｃとして突出片１５の内側辺ｆｇ、ｈｉと底辺１４との角度（α）をそれぞれ１１５°、９０°、４５°に設定した突出片１５を使用した場合の四面体にする前に包装袋（左）及び開封した後の舟形形状の断面図の模式図（右）が示してある。実際には、比較的柔軟なプラスチックのシートを使用しているので、図示した状態ほど正確には表れることはないが、おおむね図示した状態に舷側のシートが立つことになる。
【００２９】
さらに、上述した実施形態では、底辺１４の両端に突出片１５を形成しているが、必ずしも両端である必要はなく、図８に示したように、両端より内側に形成されていてもよい。本発明の突出片１５は、突出片１５の内側辺ｆｇ、ｈｉによって支持するので、反対側の辺ｄｅ、ｋｊの位置は特に限定されるものではない。突出片１５の位置を変更することによって、船底の幅を変更することができる。
【００３０】
さらにまた、上述した実施形態では、突出片１５として台形に形成しているが、これに限定されるものではなく、例えば、図９に示すように、半円形の突出片１５であってもよい。係る場合には、角度（α）は、底辺１４と半円の突出片１５のｇでの接線に表された角度となる。
【産業上の利用可能性】
【００３１】
本発明の包装袋は、包装機能を有する包装袋として、また収容された収容物の容器として利用可能である。
【符号の説明】
【００３２】
１００…包装袋、１０ａ…表シート、１０ｂ…裏シート、１１…開口辺、１１ａ…開口溶着辺、１２…右封止側片、１３…左封止側片、１４…底辺、１５…突出片、２０…開口
【図１】
2011126561.tif 000003
【図２】
2011126561.tif 000004
【図３】
2011126561.tif 000005
【図４】
2011126561.tif 000006
【図５】
2011126561.tif 000007
【図６】
2011126561.tif 000008
【図７】
2011126561.tif 000009
【図８】
2011126561.tif 000010
【図９】
2011126561.tif 000011